(57)【要約】  複数個のＬＥＤ６７〜７８と、口金１２と、口金１２を介して供給される商用電力をＬＥＤ６７〜７８を発光させるための電力に変換する点灯回路ユニット１４とを有する電球形ＬＥＤランプ１０であって、碗状部４２を有する放熱部材１６を備え、碗状部４２の内周面４４から内側に突設された第１および第２のステージ４６，４８が、碗状部４２の軸心Ｘ方向に設けられており、各ステージ４６，４８の、軸心Ｘを中心とする円周方向にＬＥＤ６７〜７８が列設されている。
2011108272.tif 000002
【特許請求の範囲】
【請求項１】
複数個のＬＥＤと、口金と、当該口金を介して供給される商用電力を前記複数のＬＥＤを発光させるための電力に変換する点灯回路とを有する電球形ＬＥＤランプであって、
碗状部を有する放熱部材を備え、
前記碗状部の内周面から内側に突設されたステージが、当該碗状部の軸心方向に少なくとも２段に設けられており、
各ステージの、前記軸心を中心とする円周方向に前記複数個のＬＥＤが列設されていることを特徴とする電球形ＬＥＤランプ。
【請求項２】
少なくとも一のステージは、前記円周方向に複数に分割されていて、分割された各々の部分のＬＥＤ搭載面の角度が変更可能に構成されていることを特徴とする請求項１に記載の電球形ＬＥＤランプ。
【請求項３】
前記軸心から前記碗状部の径方向に見て、一のステージに設けられたいずれのＬＥＤも、隣接するステージに設けられたいずれのＬＥＤと重ならない位置に各ＬＥＤが配されていることを特徴とする請求項１または２に記載の電球形ＬＥＤランプ。
【請求項４】
複数個のＬＥＤと、口金と、当該口金を介して供給される商用電力を前記複数のＬＥＤを発光させるための電力に変換する点灯回路とを有する電球形ＬＥＤランプであって、
碗状部を有する放熱部材を備え、
前記碗状部の内周面から内側に突設された個別ステージが前記ＬＥＤ毎に設けられており、
各個別ステージは、当該個別ステージのＬＥＤ搭載面に搭載されたＬＥＤを前記碗状部の軸心方向から見て、いずれのＬＥＤも他のＬＥＤと重ならない位置に設けられており、かつ、前記ＬＥＤ搭載面の角度が変更可能に構成されていることを特徴とする電球形ＬＥＤランプ。
【請求項５】
前記放熱部材の前記碗状部の外形は、前記口金と同サイズの口金を有する反射鏡付きハロゲン電球における反射鏡部分の外形と近似していることを特徴とする請求項１〜４のいずれか１項に記載の電球形ＬＥＤランプ。
【請求項６】
照明器具と、
当該照明器具に装着された請求項１〜５のいずれか１項に記載の電球形ＬＥＤランプと、
を備えることを特徴とする照明装置。
【発明の詳細な説明】
【技術分野】
【０００１】
本発明は、電球形ＬＥＤランプおよび照明装置に関し、例えば、反射鏡付きハロゲン電球の代替光源として好適な電球形ＬＥＤランプおよびこれを備えた照明装置に関する。
【背景技術】
【０００２】
反射鏡付きハロゲン電球は、凹面の反射面を有する碗状をした反射鏡とハロゲン電球とを組み合わせてなるものであり、例えば、ダウンライトタイプの照明器具に装着され、店舗や美術館などのスポット照明として使用されている。【０００３】
ところで、寿命による交換頻度を低減すると共に省電力化を図るため、ハロゲン電球よりも長寿命で消費電力の少ないＬＥＤ（発光ダイオード）を光源とする電球形ＬＥＤランプの開発が進められている。電球形ＬＥＤランプを反射鏡付きハロゲン電球の代替光源とするには、既存の照明器具に取付可能とするため、その外形をできるだけ反射鏡付きハロゲン電球に近似させたものとする必要がある。【０００４】
また、近年のＬＥＤの高輝度化にはめざましいものがあるものの、未だＬＥＤ１個の明るさはハロゲン電球と比較して格段に低いため、ＬＥＤを複数個用いる必要がある。特許文献１には、反射鏡付きハロゲン電球における反射鏡の開口部相当位置に円板状をした基板を設け、当該基板に複数個のＬＥＤが実装されてなる電球形ＬＥＤランプが開示されている。
【先行技術文献】
【特許文献】
【０００５】
【特許文献１】特開２００５−２８６２６７号公報
【発明の概要】
【発明が解決しようとする課題】
【０００６】
しかしながら、上記従来の電球形ＬＥＤランプでは、点灯中、基板の中央およびその近傍に実装されたＬＥＤほどその周囲に実装されたＬＥＤからの熱の影響を受け、基板の周縁部に実装されたＬＥＤよりも温度が高くなる。その結果、基板の中央部に近いＬＥＤほど発光効率が低くなってしまう。発光効率の不均一を解消するため、基板の周縁部（円周上）に沿って一列にＬＥＤを実装することも考えられるが、そうすると、ＬＥＤの総実装個数が少なくなるため光量が減少してしまう。【０００７】
本発明は、上記した課題に鑑み、可能な限り、ＬＥＤの個数を減らすことなく、各ＬＥＤ間における発光効率のばらつきを抑制した電球形ＬＥＤランプを提供することを目的とする。また、そのような電球形ＬＥＤランプを備えた照明装置を提供することを目的とする。
【課題を解決するための手段】
【０００８】
上記の目的を達成するため、本発明に係る電球形ＬＥＤランプは、複数個のＬＥＤと、口金と、当該口金を介して供給される商用電力を前記複数のＬＥＤを発光させるための電力に変換する点灯回路とを有する電球形ＬＥＤランプであって、碗状部を有する放熱部材を備え、前記碗状部の内周面から内側に突設されたステージが、当該碗状部の軸心方向に少なくとも２段に設けられており、各ステージの、前記軸心を中心とする円周方向に前記複数個のＬＥＤが列設されていることを特徴とする。
【発明の効果】
【０００９】
上記の構成からなる電球形ＬＥＤランプによれば、各ステージには、碗状部の軸心を中心とする円周方向にＬＥＤが列設されているため、各ステージにおいて、一のＬＥＤが他のＬＥＤで囲まれることはない。また、前記一のＬＥＤと当該一のＬＥＤが設けられたステージと隣接するステージに設けられた他のＬＥＤとの間には、碗状部の一部が存在するため、その分、両ＬＥＤを同一平面上に設けた上記従来の場合と比較して熱伝導経路が長くなり、相互に相手方のＬＥＤの熱の影響を受けにくくなる。また、碗状部の前記一部の外周面は外気に露出するので、当該部分で大半が放熱されると考えられるため、これによっても相手方のＬＥＤの熱の影響を受けにくくなる。したがって、点灯中における各ＬＥＤ間の温度のばらつきは、上記従来よりも低減できるため、各ＬＥＤ間における発光効率のばらつきを可能な限り抑制することができる。【００１０】
また、少なくとも２段に設けた各ステージの円周方向にＬＥＤを列設しているため、すなわち、少なくとも２重の円周上にＬＥＤを列設しているため、発光効率の不均一を解消するためには一の円周上に一列にＬＥＤを設けざるを得ない上記従来のＬＥＤランプと比較して、ＬＥＤの個数を低減する必要がない。【００１１】
また、上記の目的を達成するため、本発明に係る電球形ＬＥＤランプは、複数個のＬＥＤと、口金と、当該口金を介して供給される商用電力を前記複数のＬＥＤを発光させるための電力に変換する点灯回路とを有する電球形ＬＥＤランプであって、碗状部を有する放熱部材を備え、前記碗状部の内周面から内側に突設された個別ステージが前記ＬＥＤ毎に設けられており、各個別ステージは、当該個別ステージのＬＥＤ搭載面に搭載されたＬＥＤを前記碗状部の軸心方向から見て、いずれのＬＥＤも他のＬＥＤと重ならない位置に設けられており、かつ、前記ＬＥＤ搭載面の角度が変更可能に構成されていることを特徴とする。【００１２】
上記の構成からなる電球形ＬＥＤランプによれば、前記碗状部の内周面から内側に突設された個別ステージにＬＥＤが搭載されているため、あるＬＥＤが搭載された個別ステージと他のＬＥＤが搭載された個別ステージとの間には、碗状部の一部が存在するため、その分、両ＬＥＤを同一平面上に設けた上記従来の場合と比較して熱伝導経路が長くなり、相互に相手方のＬＥＤの熱の影響を受けにくくなる。また、碗状部の前記一部の外周面は外気に露出するので、当該部分で大半が放熱されると考えられるため、これによっても相手方のＬＥＤの熱の影響を受けにくくなる。したがって、点灯中における各ＬＥＤ間の温度のばらつきは、上記従来よりも低減できるため、各ＬＥＤ間における発光効率のばらつきを可能な限り抑制することができる。【００１３】
また、個別ステージの各々は、碗状部の軸心方向から見てＬＥＤが重ならない限り、その内周面の任意の位置から突設できるため、発光効率の不均一を解消するためには一の円周上に一列にＬＥＤを設けざるを得ない上記従来のＬＥＤランプと比較して、ＬＥＤの個数を低減する必要がない。【００１４】
さらに、個別ステージにおけるＬＥＤ搭載面の角度を変えることができるため、ランプ全体の配光特性を変更することが可能となる。【００１５】
また、上記の目的を達成するため、本発明に係る照明装置は、照明器具と、当該照明器具に装着された上記の電球形ＬＥＤランプとを備えることを特徴とし、上述した電球形ＬＥＤランプと同様の効果を奏する。
【図面の簡単な説明】
【００１６】
【図１】実施の形態１に係る電球形ＬＥＤランプを正面から見た断面図である。
【図２】上記電球形ＬＥＤランプの平面図である。
【図３】上記電球形ＬＥＤランプの構成部材である第１部材および３個のＬＥＤモジュールの斜視図である。
【図４】実施の形態２に係る電球形ＬＥＤランプを正面から見た断面図である。
【図５】（ａ）は、実施の形態３に係る電球形ＬＥＤランプにおいて、ネック部および碗状部を有する放熱部材を構成する第１および第２部材の内、主として第１部材を示す斜視図であり、（ｂ）、（ｃ）は、主として、個別ステージを側方から見た図である。
【図６】実施の形態４に係る電球形ＬＥＤランプを正面から見た断面図である。
【図７】実施の形態５に係る電球形ＬＥＤランプを正面から見た断面図である。
【図８】実施の形態５に係る電球形ＬＥＤランプの平面図である。
【図９】実施の形態５に係る電球形ＬＥＤランプの構成部材である第１部材および３個のＬＥＤモジュールの斜視図である。
【発明を実施するための形態】
【００１７】
以下、本発明に係る電球形ＬＥＤランプの実施の形態について、図面を参照しながら説明する。ここで、電球形ＬＥＤランプとは、後述するような口金を有し、ハロゲン電球その他の白熱電球用のソケットにそのまま装着して使用できるものを言う。
＜実施の形態１＞
図１は実施の形態１に係る電球形ＬＥＤランプ１０（以下、単に「ＬＥＤランプ１０」と言う。）を正面から見た断面図であり、図２は同平面図である。なお、図２は、後述する前面ガラス１８を取り除いた状態で描いている。
【００１８】
反射鏡付きＬＥＤ電球１０は、口金１２、点灯回路ユニット１４、放熱部材１６、前面ガラス１８、ＬＥＤモジュール２０，２２，２４等で構成される。
【００１９】
口金１２は、電気絶縁材料からなる本体部２６を有する。本体部２６の一端部部分は略円筒形に形成されており、当該円筒部分にシェル２８が嵌めこまれている。また、円筒部分の一端部側は略円錐台形に形成されており、当該円錐台の頂部には、アイレット３０が固着されている。口金１２は、既存の白熱電球用の照明器具のソケットに装着とする規格（例えば、ＪＩＳ規格）に合致したものである。
【００２０】
本体部２６の前記円筒部分の他端部には、アイレット３０から遠ざかる程内部空間が広がる中空形状に形成されていて、当該中空部内に点灯回路ユニット１４が収納されている。
【００２１】
点灯回路ユニット１４は、回路基板３２と回路基板３２に実装された複数の電子部品３４とからなる。点灯回路ユニット１４とアイレット３０とは第１リード線３６で、点灯回路ユニット１４とシェル２８とは第２リード線３８でそれぞれ電気的に接続されている。点灯回路ユニット１４は、アイレット３０およびシェル２８並びに第１リード線３６および第２リード線３８を介して供給される商用交流電力を、ＬＥＤモジュール２０，２２，２４を点灯させるための電力に変換して、ＬＥＤモジュール２０，２２，２４に給電する。
【００２２】
放熱部材１６は、アルミニウム等の良熱伝導性材料からなり、ネック部４０とこれに連設された碗状部４２とを有する。図１、図２においてネック部４０および碗状部４２の中心軸Ｘを一点鎖線で示す。
【００２３】
ネック部４０は略円筒形をしていて、口金１２の本体部２６の開口部から挿入されて本体部２６に固定されている。この固定には、接着剤、その中でも、シリコン樹脂、熱伝導性の良い接着剤（例えば熱グリスなどを含む接着剤）（いずれも不図示）等を用いることができる。
【００２４】
放熱部材１６は、面対称形をした二つの部材（第１部材１６Ａ、第２部材１６Ｂ）が合わさったものである。
【００２５】
図３に、第１部材１６ＡおよびＬＥＤモジュール２０，２２，２４の斜視図を示す。なお、図３においても、第１部材１６Ａと第２部材１６Ｂとを組み合わせた際の（放熱部材１６の）中心軸Ｘを記載している。第１部材１６Ａの各部にはアルファベットの「Ａ」を付し、第１部材１６Ａと第２部材１６Ｂとが組み合わさってなる放熱部材１６において、対応する部分を示す場合は、アルファベット「Ａ」を省略し、番号のみで示すものとする。
【００２６】
第１部材１６Ａは、ネック部４０（図１）となる半円筒部４０Ａとこれに連設された、碗状部４２（図１）となる半碗状部４２Ａとを有する。
【００２７】
半碗状部４８Ａの内周面４４Ａから内側に（中心軸Ｘに向かって）突設されたステージ４６Ａ，４８Ａが中心軸Ｘ方向に複数段（本例では２段）設けられている。ここで、半碗状部４２Ａの底部５０Ａに近い方から、第１ステージ４６Ａ、第２ステージ４８Ａとする。
【００２８】
第１部材１６Ａの底部５０Ａ、第１ステージ４６Ａ、第２ステージ４８Ａには、それぞれ、ＬＥＤモジュール２０，２２，２４と点灯回路ユニット１４とを電気的に接続する後述の内部配線８０，８２，８４の挿通孔となる切欠き５２Ａ，５４Ａ，５６Ａが設けられている。
【００２９】
また、第１部材１６Ａは第２部材１６Ｂとの合わせ面５８Ａを有する。
【００３０】
第１部材１６Ａと第２部材１６Ｂをその合わせ面同士を合わせて組み合わせると、図２に示すように、内周面４４から内側に（中心軸Ｘに向って）円環状に突設された第１ステージ４６、第２ステージ４８が創出される。また、その外形は、口金１２と同規格サイズの口金を有する反射鏡付きハロゲン電球における反射鏡部分の外形と近似している。すなわち、反射鏡付きハロゲン電球における反射鏡部分は一般的に碗状をしている。よって、碗状部４２を反射鏡の有する碗状と同程度の大きさとすることにより、碗状部４２は反射鏡部分の外形と近似することとなる。
【００３１】
碗状部４２の底部５０にはＬＥＤモジュール２０が、第１ステージ４６にはＬＥＤモジュール２２が、第２ステージ４８にはＬＥＤモジュール２４がそれぞれ設置されている。
【００３２】
図３に示すように、ＬＥＤモジュール２０は円板状をしたプリント配線板６０とこれに実装されたＬＥＤ６６とを有する。また、ＬＥＤモジュール２２，２４は、それぞれ、円環状をしたプリント配線板６２，６４とこれに実装されたＬＥＤ６７,６８,６９,７０,７１,７２,７３，７４，７５，７６，７７，７８とを有する。プリント配線板６２，６４の各々には、円環中心軸周りに等角度間隔（本例では、６０度間隔）で、ＬＥＤ６７〜７８が実装されている。ＬＥＤ６６〜７８はいずれも同じものであり、表面実装（ＳＭＤ）型でレンズ付きの白色ＬＥＤである。
【００３３】
ＬＥＤモジュール２２のＬＥＤ６７〜７２は、プリント配線板６２の配線パターン（不図示）によって電気的に直列に接続されており、同じく、ＬＥＤモジュール２４のＬＥＤ７３〜７８は、プリント配線板６４の配線パターン（不図示）によって電気的に直列に接続されている。
【００３４】
また、底部５０、第１ステージ４６、第２ステージ４８の厚みを必要に応じ個々に変えることで、放熱性を個々に向上させることができる。つまり、点灯回路ユニット１４で発生した熱の影響をなくすために底部５０の厚みを厚くすることが可能である。また、第１ステージ４６のように、第２ステージ４８に比べ、ステージ単位面積に対しＬＥＤの個数が多いような場合は、熱が逃げにくいため、例えば第１ステージ４６の厚みを第２ステージ４８の厚みより厚くすることで放熱性の向上につながる。
【００３５】
図２に戻り、ＬＥＤモジュール２２とＬＥＤモジュール２４とは、中心軸Ｘを中心として、ＬＥＤ６７〜７２とＬＥＤ７３〜７８の配置角度が３０度ずれるように第１ステージ４６、第２ステージ４８の各々に設けられている。すなわち、中心軸Ｘから碗状部４２の径方向に見て、一方のステージに設けられたいずれのＬＥＤも隣接する他方のステージに設けられたいずれのＬＥＤと重ならない位置に各ＬＥＤ６７〜７８が配されている。このように配することで、被照射面における照度むらを可能な限り抑制することができる。
【００３６】
図１に戻り、プリント配線板６０と回路基板３２とは、挿入孔５２に挿通された内部配線８０を介して電気的に接続されている。また、プリント配線板６２と回路基板３２とは、挿通孔５２，５４に挿通された内部配線８２を介して電気的に接続されている。さらに、プリント配線板６４と回路基板３２とは、挿通孔５２，５４，５６に挿通された内部配線８４を介して電気的に接続されている。そして、内部配線８０，８２，８４同士は、回路基板３２の配線パターン（不図示）で、ＬＥＤ６６〜７８が電気的に直列接続されるように接続されている。
【００３７】
以上、説明したようにＬＥＤランプ１０は、ハロゲン電球用の既存の照明器具に装着可能な口金１２を有する。また、口金１２には、反射鏡付きハロゲン電球の当該反射鏡と同様な碗形状をした放熱部材１６が設けられており、口金１２と放熱部材１６とでＬＥＤランプ１０の外形が形成されている。このため、反射鏡付きハロゲン電球用の既存の照明器具に、スペース的にも問題なく装着可能である。
【００３８】
上記の構成からなるＬＥＤランプ１０を照明器具に装着し、口金１２を介して給電すると１３個のＬＥＤ６７〜７８が点灯し、その各々が発熱する。
【００３９】
平面視すると図２に示すように、例えば、ＬＥＤ６７に注目すると、ＬＥＤ６７はＬＥＤ７３，７４，６８，７２に囲まれているため、これら４個のＬＥＤ７３，７４，６８，７２の熱の影響を良く受けるようにも思われる。
【００４０】
しかしながら、ＬＥＤ６７とＬＥＤ７３，７４とは、異なるステージに設けられており実際には同一の平面上にはない。ＬＥＤ７３，７４からＬＥＤ６７に至る熱伝導経路は、第２ステージ４８〜碗状部４２の一部〜第１ステージ４６といったように、ＬＥＤ７３，７４とＬＥＤ６７とを同一の平面上（例えば、従来のように同一基板上）に配した場合と比較して相当に長くなる。加えて、碗状部４２の上記一部の外周面は、外気に露出しているため、当該部分で大半が放熱されると考えられるため、ＬＥＤ６７に対するＬＥＤ７３，７４の熱の影響は少ないと考えられる。
【００４１】
ＬＥＤ６８，７２は、ＬＥＤ６７と同一平面上（同一プリント配線板６２上）に存するが、ＬＥＤ６７を取り囲むものではない。
【００４２】
以上のとおり、ＬＥＤランプ１０によれば、１３個のＬＥＤ６６〜７８のいずれも、同一平面内で他のＬＥＤに囲まれていないため、従来のように一の基板にこれらのＬＥＤを配した場合と比較して、各ＬＥＤは他のＬＥＤの熱の影響を受けにくい。このため、各ＬＥＤ間における発光効率のばらつきを従来と比較して抑制することができると考えられる。
【００４３】
なお、ＬＥＤモジュール２０，２２，２４の各々を選択的に点灯させることとしても構わない。これは、点灯回路ユニット１４に公知の技術を用いた選択回路を組み込み、公知の技術で実現できるリモコンを用いることにより可能である。
【００４４】
これにより、全てのＬＥＤモジュール２０，２２，２４を点灯させる他、一のＬＥＤモジュールを点灯させることができる。この場合、ＬＥＤモジュール２０のみの場合は、いわゆる豆球程度の明るさとなるため、例えば、常夜灯として用いる場合等に好適である。
【００４５】
また、二つのＬＥＤモジュールのみを点灯させることができる（ＬＥＤモジュール２０，２２、ＬＥＤモジュール２０，２４、またはＬＥＤモジュール２２，２４といった組み合わせ）。これにより、ＬＥＤランプの明るさを段階的に変更することが可能となる。
＜実施の形態２＞
図４は実施の形態２に係る電球形ＬＥＤランプ１００（以下、単に「ＬＥＤランプ１００」と言う。）を正面から見た断面図であり、図１と同様に描いた図である。
【００４６】
実施の形態２に係るＬＥＤランプ１００は、放熱部材の形状が異なる以外は、実施の形態１に係るＬＥＤランプ１０（図１）と同様の構成である。よって、ＬＥＤランプ１０と同様の構成部分については同じ符号を付してその説明については省略し、以下、異なる部分を中心に説明する。
【００４７】
実施の形態２の放熱部材１０２では、その体積を増大させるため、第１ステージ１０４および第２ステージ１０６の下方には、実施の形態１の第１および第２ステージ４６，４８とは異なり、ほとんど空間を設けず、放熱部材１０２を構成する材料（本例では、アルミニウム）で充塞することとした。換言すれば、底部と第１ステージの間、および第１ステージと第２ステージの間の碗状部の厚みを増大させた。これにより、放熱部材１０２の熱容量が増大するため、一層放熱性が向上し、ＬＥＤ６６〜７８（一部不図示）の昇温の程度が抑制できる。
【００４８】
また、前記厚みの増大によって、底部と第１ステージの間の内周面がＬＥＤ６６に近づき、第１ステージと第２ステージの間の内周面がＬＥＤモジュール２２のＬＥＤ６７〜７２（一部不図示）に近づくため、両内周面が、対応するＬＥＤの反射面となり、効率よく各ＬＥＤからの光を前方へ放射することが可能となる。
＜実施の形態３＞
実施の形態１，２では、第１ステージ４６，１０４、第２ステージ４８，１０６は、中心軸Ｘを中心とする環状を成したもの（中心軸Ｘを中心とする円周方向に一体的に形成されたもの）としたが、実施の形態３に係る電球形ＬＥＤランプ（以下、単に「ＬＥＤランプ」と言う。）では、両ステージを円周方向に複数に分割したものとし、かつ、分割された各々の部分（個別ステージのＬＥＤ搭載面）の角度を変更可能に構成することとしている。
【００４９】
実施の形態３は、実施の形態１，２とは、口金１２、点灯回路ユニット１４、前面ガラス１８、およびＬＥＤ６７〜７８を共通にするため、これら構成要素の図示および説明については省略し、以下、異なる部分を中心に説明する。
【００５０】
図５（ａ）は、実施の形態３に係るＬＥＤランプにおいて、ネック部および碗状部を有する放熱部材を構成する第１および第２部材の内、第１部材２０２Ａを示す斜視図である。なお、不図示の第２部材は中心軸Ｘを対称軸として第１部材２０２Ａと対称形をなしており、実施の形態１の場合と同様、第１および第２部材の合わせ面２０４Ａ同士を合わせて組み合わせることにより放熱部材が構成される。また、以下、便宜上、第１部材２０２Ａと第２部材（不図示）とが組み合わさった状態を想定して放熱部材２０２について説明する。
【００５１】
放熱部材２０２は、実施の形態１の場合と同様、ネック部２０６とこれに連設された碗状部２０８とを有する。
【００５２】
碗状部２０８の内周面２１０から内側に（中心軸Ｘに向って）突設された第１ステージ２１２と第２ステージ２１４が中心軸Ｘの軸心方向に２段に設けられている。
【００５３】
第１ステージ２１２と第２ステージ２１４とは、それぞれ、中心軸Ｘを中心とする円周方向に並設された複数個の（本例では６個の（３個は図５に現れていない））個別ステージ２１６〜２１８、個別ステージ２１９〜２２１で構成される。個別ステージ２１６〜２２１はいずれも同様の構成なので、ここでは、第２ステージ２１４を構成する個別ステージ２１９を代表として説明する。
【００５４】
図５（ｂ）、図５（ｃ）に、図５（ａ）において矢印Ａの向きに見た個別ステージ２１９を示す。
【００５５】
個別ステージ２１９は、碗状部２０８の内周面２１０から中心軸Ｘに向って延出された固定部２２２とこれに連結された可動部２２４とを有する。なお、碗状部２０８から固定部２２が延出されてなる構造は、例えばロストワックス法により鋳造することができる。あるいは、固定部２２２の挿入孔を碗状部２０８の厚み方向に開設し、別途作製された固定部２２２の端部を当該挿入孔に挿入することとしても構わない。
【００５６】
固定部２２２と可動部２２４とは、それぞれに開設された貫通孔に圧入されたストレートピン２２６によって連結されている。ピン２２６は、碗状部２０８の径方向と直交しており、可動部２２４は、ピン２２６の軸心周り矢印Ｕ，矢印Ｄの向きに回動可能に軸支されている。
【００５７】
可動部２２４におけるＬＥＤ搭載面２３０には、方形をしたプリント基板２２８が固着され、プリント基板２２８にはＬＥＤ７８が実装されている。図５（ｂ）に示す、ＬＥＤ搭載面２３０ひいてはプリント基板２２８の主面が中心軸Ｘと直交する方向と平行になっている状態を「標準状態」と称することとする。標準状態では、ＬＥＤ７８の光は専ら中心軸Ｘと平行な方向に出射される。なお、全ての個別ステージ２１６〜２２１が標準状態となっている場合に、ＬＥＤランプを平面視した場合におけるＬＥＤの配列は、図２に示す実施の形態１の場合と同様である。
【００５８】
上記の構成からなる個別ステージ２１９によれば、標準状態から可動部２２４を例えば指先などで回動させることにより、ＬＥＤ７８の出射光の中心軸Ｘに対する角度を変更することができる。矢印Ｄの向きに回動させると中心軸Ｘに向って集光される状態が実現でき、矢印Ｕの向きに回動させるとワイドに照射面を照射するような配光が得られる。
【００５９】
なお、ＬＥＤ６７，６８，７２，７３，７４，７８は、図５（ａ）に現れていない他の６個も含め、ステージ毎に隣接するもの同士が内部配線２３２で次々と接続されて、直列に接続されている。ステージ毎に直列接続されたＬＥＤは、内部配線２３４，２３６を介して回路基板３２に接続されている。そして、ステージ毎に直列接続されたＬＥＤ同士は、回路基板の配線パターンによって、直列に接続されている。
＜実施の形態４＞
図６は実施の形態４に係る電球形ＬＥＤランプ３００（以下、単に「ＬＥＤランプ３００」と言う。）を正面から見た断面図であり、図１と同様に描いた図である。
【００６０】
ＬＥＤランプ３００は、実施の形態１のＬＥＤランプ１０（図１）に後述する光拡散部材３０２を追加した構成としている。光拡散部材３０２を有する以外、ＬＥＤランプ３００は、ＬＥＤ１０と同様の構成である。
【００６１】
よって、図６において、ＬＥＤランプ１０（図１）と同じ構成部分については、図１と同じ符号を付して、その説明については省略し、以下、光拡散部材３０２を中心に説明する。
【００６２】
光拡散部材３０２は、全体的に円錐台形をしていて、その頂部を、碗状をした放熱部材１６の底部に向けた姿勢で放熱部材１６内に収納されている。収納された状態で、前記円錐台形の中心軸が、中心軸Ｘに重なっている。光拡散部材３０２の頂部には、凹部３０２Ａが設けられており、凹部３０２Ａ内にＬＥＤ６６が収納されている。光拡散部材３０２は、その底面が前面ガラス１８と透光性を有する接着によって固着されており、前面ガラス１８の放熱部材１６への取り付けと同時に、放熱部材１６へ組み付けられる。
【００６３】
光拡散部材３０２は、アクリル樹脂等の透光性樹脂、ガラスその他の透光性材料からなる。
【００６４】
このように光拡散部材３０２を設けることにより、ＬＥＤ６７〜７８から出射された光は、その一部が光拡散部材３０２の側面３０２Ｂで反射し、あるいは他の一部が光拡散部材３０２内部へ入射し、内部へ入射した光が当該内部で反射を繰り返して、外部へと出射される。このため、ＬＥＤランプ１００全体として、ＬＥＤランプ１０よりも光の出射範囲（出射角）が拡がることとなる。
【００６５】
（変形例）
実施の形態４のＬＥＤランプ３００において、ＬＥＤモジュール２０を取り除くと共に、光反射部材３０２を、凹部３０２Ａを有しない完全な円錐台形状としても構わない。
【００６６】
また、実施の形態２，３のＬＥＤランプに光拡散部材３０２を組み込んでも構わない。
＜実施の形態５＞
図７は実施の形態５に係る電球形ＬＥＤランプ４００（以下、単に「ＬＥＤランプ４００」と言う。）を正面から見た断面図であり、図８は同平面図であって、それぞれ、図１、図２と同様に描いた図である。
【００６７】
実施の形態１のＬＥＤランプ１０では、中心軸Ｘ方向、口金１２に近い側から、１個のＬＥＤ６６で構成されたＬＥＤモジュール２０、６個のＬＥＤ６７〜７２が円環状に配された構成のＬＥＤモジュール２２、６個のＬＥＤ７３〜７８が前記円環状よりも大きな円環状に配された構成のＬＥＤモジュール２４がこの順に配されていたが、実施の形態５のＬＥＤランプ４００では、ＬＥＤモジュールの大小関係の配列順がこの逆になっている。
【００６８】
すなわち、ＬＥＤランプ４００では、中心軸Ｘ方向、口金に近い側から、６個のＬＥＤ７３〜７８が円環状に配された構成のＬＥＤモジュール４０２、６個のＬＥＤ６７〜７２が前記円環状よりも小さな円環状に配された構成のＬＥＤモジュール４０４、１個のＬＥＤ６６で構成されたＬＥＤモジュール４０６がこの順に配されている。
【００６９】
また、実施の形態１のＬＥＤランプ１０では、点灯回路ユニット１４は、回路基板３２が中心軸Ｘと直交する姿勢で設けられた、いわゆる横置きとしたが、実施の形態５のＬＥＤランプ４００では、点灯回路ユニット４０８は、回路基板４１０が中心軸Ｘと平行となる姿勢で設けられた、いわゆる縦置きとしている。
【００７０】
上記したＬＥＤモジュールの配列順、および点灯回路ユニットの設置方向が異なる以外は、ＬＥＤランプ４００は、ＬＥＤランプ１０と同様の構成である。よって、図７、図８において、ＬＥＤランプ１０と実質的に同じ構成部分については、同じ符号を付してその説明については省略し、以下、異なる部分を中心にさらに説明する。
【００７１】
点灯回路ユニット４０８は、回路基板４１０と回路基板４１０に実装された複数個の電子部品４１２とからなる。回路基板４１０のシェル２８に近い側の端部部分が、口金１２の本体部２６の内周面２６Ａに、中心軸Ｘと平行に設けられた一対の対向する溝（不図示）に挿入されて、本体部２６内に収納されている。回路基板４１０の他端部部分は、口金１２から突出し、放熱部材４１４の碗状部４１６にまで至っている。
【００７２】
放熱部材４１４は、実施の形態１と同様、面対称をした二つの部材（第１部材４１４Ａ、第２部材４１４Ｂ）が合わさったものである。
【００７３】
図９は、第１部材４１４Ａ、およびＬＥＤモジュール４０２，４０４，４０６の斜視図であり、図３と同様に描いたものである。なお、実施の形態５でも、実施の形態１と同様、第１部材４１４Ａの各部にはアルファベットの「Ａ」を付し、第１部材４１４Ａと第２部材４１４Ｂとが組み合わさってなる放熱部材４１４において、対応する部分を示す場合は、アルファベット「Ａ」を省略し、番号のみで示すものとする。
【００７４】
第１部材４１４Ａは、ネック部４１８（図７）となる半円筒部４１８Ａとこれに連設された、碗状部４１６（図７）となる半碗状部４１６Ａとを有する。なお、碗状部４１６は、実施の形態１とは異なり底部を有しない（図７）。
【００７５】
半碗状部４１６Ａの内周面４２０Ａから内側に（中心軸Ｘに向かって）突設されたステージ４２２Ａ，４２４Ａが中心軸Ｘ方向に２段設けられている。ステージ４２２Ａは、ＬＥＤモジュール４０６のための後述する取付部材４３０の脚部４３４を固定するために設けられたものであり、以下、脚部固定ステージ４２２Ａと称する。ステージ４２４Ａは、ＬＥＤモジュール４０２設置用のステージであり、以下、第１ステージ４２４Ａと称する。なお、ＬＥＤモジュール４０４を設置するための第２ステージ４２６については後述する。
【００７６】
第１部材４１４Ａは第２部材４１４Ｂとの合わせ面４２８Ａを有する。
【００７７】
第１部材４１４Ａと第２部材４１４Ｂをその合わせ面同士を合わせて組み合わせると、内周面４２０（図８）から内側に（中心軸Ｘに向って）円環状に突設された脚部固定ステージ４２２、第１ステージ４２４が創出される。また、その外形が、反射鏡付きハロゲン電球における反射鏡部分の外形と近似するのは、実施の形態１と同様である。
【００７８】
脚部固定ステージ４２２には、取付部材４３０を介してＬＥＤモジュール４０６が固定される。ＬＥＤモジュール４０６は、実施の形態１のＬＥＤモジュール２０（図３）と同様の構成である。取付部材４３０は、円板状をした台座４３２と台座４３２の外周から三方に延出された３本の脚部４３４とを有する。取付部材４３０は、熱伝導性に優れた金属、例えば、アルミニウムからなる。ＬＥＤモジュール４０６は、台座４３２に熱伝導性に優れた接着剤によって固着されている。３本の脚部４３４各々の先端部分は「く」字状に屈曲され、当該屈曲部が半田（不図示）などによって、脚部固定ステージ４２２に接合されている。
【００７９】
第１ステージ４２４には、３個のＬＥＤモジュール４０２，４０４，４０６の内で最も大きいＬＥＤモジュール４０２が設置されている。ＬＥＤモジュール４０２は、プリント配線板４３６が若干小さい以外は、ＬＥモジュール２４（図３）と同様の構成である。
【００８０】
ＬＥＤモジュール４０４は、プリント配線板４３８が若干小さい以外は、ＬＥＤモジュール２２（図３）と同様の構成である。ＬＥＤモジュール４０４は、固定部材４４０を介して、碗状部４１６に取り付けられる。
【００８１】
固定部材４４０は、円環状部４４２と円環状部４４２の外周から等角度間隔で放射状に延出された６本の腕部４４６とからなる。腕部４４６の先端面は、碗状部４１６の内周面４２０の傾斜（曲面）に合わせてカットされている。
【００８２】
固定部材４４０は、円環状部４４２の中心軸を中心軸Ｘと一致させた状態で、碗状部４１６に嵌め込まれる。このとき、図８に示すように、平面視で腕部４４６のいずれもが、ＬＥＤモジュール４０２を構成するＬＥＤ７３〜７８と重ならないように嵌め込まれる。ここで、隣接するＬＥＤ間の真ん中に腕部４４６の各々が位置するように嵌め込まれるのが好ましい。
【００８３】
嵌め込まれた状態で、腕部４４６各々の先端面は、碗状部４１６の内周面と略全面で接触している。この状態で、腕部４４６各々の先端部部分が不図示の半田などで碗状部４１６に接合され、碗状部４１６と一体となる。これにより、固定部材４４０は、放熱部材４１４の一部となり、碗状部４１６の内周面４２０から内側に（中心軸Ｘに向って）突設された第２ステージ４２６を構成する。
【００８４】
ＬＥＤモジュール４０４は、第２ステージ４２６の円環状部４４２に設置されている。
【００８５】
なお、ＬＥＤモジュール４０２，４０４，４０６の各々と点灯回路ユニット４０８とは、放熱部材４１４の中空部を挿通された不図示の配線によって電気的に接続されている。
【００８６】
以上の構成からなるＬＥＤランプ４００によれば、１３個のＬＥＤ６６〜７８のいずれも、同一平面内で他のＬＥＤに囲まれていないため、従来のように一の基板にこれらのＬＥＤを配した場合と比較して、各ＬＥＤは他のＬＥＤの熱の影響を受けにくく、その結果、各ＬＥＤ間における発光効率のばらつきを従来と比較して抑制することができると考えられるのは、実施の形態１の場合と同様である。
【００８７】
以上、電球形ＬＥＤランプの実施の形態について説明してきたが、照明器具と当該照明器具に装着された上記いずれかの実施の形態に係る電球形ＬＥＤランプとで照明装置を構成することも可能である。この場合、上述した通り、当該電球形ＬＥＤランプは、口金に取り付けられた放熱部材の外形を、反射鏡付きハロゲン電球の反射鏡の形状（外形）と同様の形状（外形）、すなわち碗状としているため、反射鏡付きハロゲン電球用の照明器具（例えば、ダウンライトタイプの照明器具）と好適に組み合わせて照明装置とすることができる。
【００８８】
また、電球形ＬＥＤランプの実施の形態は上記の形態に限らないことは勿論であり、例えば、以下のような形態とすることもできる。
（１）実施の形態１，２，４，５では、中心軸Ｘの方向上下２段にステージを設けたが、ステージの数は２段（２個）に限らず３段（３個）以上でも構わない。反射鏡付きハロゲン電球の代替光源とすることを主な目的とするため、代替されるハロゲン電球のサイズによって反射鏡の大きさが異なる。よって、当該反射鏡の大きさに合わせて形成される放熱部材の大きさも異なってくるため、放熱部材の大きさに依って設けるステージの個数（段数）も変更されるからである。
（２）実施の形態１，２では、放熱部材の碗状部底部にもＬＥＤ６６を設けることとしたが、当該底部のＬＥＤは必ずしも必要ない。当該ＬＥＤを設けないこととした場合には、碗状部の底部をその分、点灯回路ユニット１４の存する側とは反対側に底上げすることにより、点灯回路ユニット１４の収納スペースを広げることが可能となる。
（３）実施の形態３では、標準状態において、個別ステージ２１６，２１７，２１８のＬＥＤ搭載面が同一平面上にあり、個別ステージ２１９，２２０，２２１のＬＥＤ搭載面が同一平面上にあるように、個別ステージ各々を配置したが、これに限らず、例えば、以下のように各個別ステージを配置しても構わない。
【００８９】
すなわち、個別ステージのＬＥＤ搭載面が、中心軸Ｘを旋回軸とする仮想螺旋線上に並ぶように、各個別ステージを配しても構わない。この場合の螺旋は、碗状部の開口部に近くなるほど中心軸Ｘからの距離が長くなる、いわゆる末広がりの螺旋状とすることが好ましい。また、当然のことながら、中心軸Ｘ方向から見て、いずれのＬＥＤも他のＬＥＤと重ならないようにすることが好ましい。
【００９０】
また、上記に関わらず、その他、配置は任意である。要は、中心軸Ｘ方向から見て、ＬＥＤ同士が重ならないような配置であれば構わない。
（４）実施の形態３では、一の個別ステージには、ＬＥＤを１個搭載することとしたが、搭載するＬＥＤの個数は１個に限らない。すなわち、使用する複数個のＬＥＤを２個のＬＥＤ毎に、あるいは３個のＬＥＤ毎に（すなわち、所定個数のＬＥＤ毎に）各個別ステージ設けても構わない。
【００９１】
また、個別ステージ間で搭載するＬＥＤの個数が異なっていても構わない。
（５）また、ステージに関し、実施の形態１，２，４または５の構成と実施の形態３とを混合させた形態とすることもできる。例えば、第１ステージは、実施の形態１または２の第１ステージの構成とし、第２ステージを実施の形態３の個別ステージ群で構成することができ、またその逆も可能である。
【００９２】
要は、複数段に設けるステージの内、少なくとも一のステージを実施の形態３のような個別ステージ群とすることができるのである。
【産業上の利用可能性】
【００９３】
本発明に係る電球形ＬＥＤランプは、例えば、反射鏡付きハロゲン電球の代替光源として好適に利用可能である。
【符号の説明】
【００９４】
１０，１００，３００，４００    電球形ＬＥＤランプ
１２    口金
１４，４０８    点灯回路ユニット
１６，１０２，２０２，４１４    放熱部材
４２，２０８    碗状部
４６，１０４，２１２，４２４    第１ステージ
４８，１０６，２１４，４２６    第２ステージ
６６〜７８    ＬＥＤ
２１６〜２２１    個別ステージ
２３０    搭載面
【図１】
2011108272.tif 000003
【図２】
2011108272.tif 000004
【図３】
2011108272.tif 000005
【図４】
2011108272.tif 000006
【図５】
2011108272.tif 000007
【図６】
2011108272.tif 000008
【図７】
2011108272.tif 000009
【図８】
2011108272.tif 000010
【図９】
2011108272.tif 000011
【手続補正書】
【提出日】平成23年5月30日(2011.5.30)
【手続補正１】
【補正対象書類名】明細書
【補正対象項目名】全文
【補正方法】変更
【補正の内容】
【発明の詳細な説明】
【技術分野】
【０００１】
本発明は、電球形ＬＥＤランプおよび照明装置に関し、例えば、反射鏡付きハロゲン電球の代替光源として好適な電球形ＬＥＤランプおよびこれを備えた照明装置に関する。
【背景技術】
【０００２】
反射鏡付きハロゲン電球は、凹面の反射面を有する碗状をした反射鏡とハロゲン電球とを組み合わせてなるものであり、例えば、ダウンライトタイプの照明器具に装着され、店舗や美術館などのスポット照明として使用されている。
ところで、寿命による交換頻度を低減すると共に省電力化を図るため、ハロゲン電球よりも長寿命で消費電力の少ないＬＥＤ（発光ダイオード）を光源とする電球形ＬＥＤランプの開発が進められている。電球形ＬＥＤランプを反射鏡付きハロゲン電球の代替光源とするには、既存の照明器具に取付可能とするため、その外形をできるだけ反射鏡付きハロゲン電球に近似させたものとする必要がある。
【０００３】
また、近年のＬＥＤの高輝度化にはめざましいものがあるものの、未だＬＥＤ１個の明るさはハロゲン電球と比較して格段に低いため、ＬＥＤを複数個用いる必要がある。特許文献１には、反射鏡付きハロゲン電球における反射鏡の開口部相当位置に円板状をした基板を設け、当該基板に複数個のＬＥＤが実装されてなる電球形ＬＥＤランプが開示されている。
【先行技術文献】
【特許文献】
【０００４】
【特許文献１】特開２００５−２８６２６７号公報
【発明の概要】
【発明が解決しようとする課題】
【０００５】
しかしながら、上記従来の電球形ＬＥＤランプでは、点灯中、基板の中央およびその近傍に実装されたＬＥＤほどその周囲に実装されたＬＥＤからの熱の影響を受け、基板の周縁部に実装されたＬＥＤよりも温度が高くなる。その結果、基板の中央部に近いＬＥＤほど発光効率が低くなってしまう。発光効率の不均一を解消するため、基板の周縁部（円周上）に沿って一列にＬＥＤを実装することも考えられるが、そうすると、ＬＥＤの総実装個数が少なくなるため光量が減少してしまう。
【０００６】
本発明は、上記した課題に鑑み、可能な限り、ＬＥＤの個数を減らすことなく、各ＬＥＤ間における発光効率のばらつきを抑制した電球形ＬＥＤランプを提供することを目的とする。また、そのような電球形ＬＥＤランプを備えた照明装置を提供することを目的とする。
【課題を解決するための手段】
【０００７】
上記の目的を達成するため、本発明に係る電球形ＬＥＤランプは、複数個のＬＥＤと、口金と、当該口金を介して供給される商用電力を前記複数のＬＥＤを発光させるための電力に変換する点灯回路とを有する電球形ＬＥＤランプであって、碗状部を有する放熱部材を備え、前記碗状部の内周面から内側に突設されたステージが、当該碗状部の軸心方向に少なくとも２段に設けられており、各ステージの、前記軸心を中心とする円周方向に前記複数個のＬＥＤが列設されていることを特徴とする。
【発明の効果】
【０００８】
上記の構成からなる電球形ＬＥＤランプによれば、各ステージには、碗状部の軸心を中心とする円周方向にＬＥＤが列設されているため、各ステージにおいて、一のＬＥＤが他のＬＥＤで囲まれることはない。また、前記一のＬＥＤと当該一のＬＥＤが設けられたステージと隣接するステージに設けられた他のＬＥＤとの間には、碗状部の一部が存在するため、その分、両ＬＥＤを同一平面上に設けた上記従来の場合と比較して熱伝導経路が長くなり、相互に相手方のＬＥＤの熱の影響を受けにくくなる。また、碗状部の前記一部の外周面は外気に露出するので、当該部分で大半が放熱されると考えられるため、これによっても相手方のＬＥＤの熱の影響を受けにくくなる。したがって、点灯中における各ＬＥＤ間の温度のばらつきは、上記従来よりも低減できるため、各ＬＥＤ間における発光効率のばらつきを可能な限り抑制することができる。
【０００９】
また、少なくとも２段に設けた各ステージの円周方向にＬＥＤを列設しているため、すなわち、少なくとも２重の円周上にＬＥＤを列設しているため、発光効率の不均一を解消するためには一の円周上に一列にＬＥＤを設けざるを得ない上記従来のＬＥＤランプと比較して、ＬＥＤの個数を低減する必要がない。
また、上記の目的を達成するため、本発明に係る電球形ＬＥＤランプは、複数個のＬＥＤと、口金と、当該口金を介して供給される商用電力を前記複数のＬＥＤを発光させるための電力に変換する点灯回路とを有する電球形ＬＥＤランプであって、碗状部を有する放熱部材を備え、前記碗状部の内周面から内側に突設された個別ステージが前記ＬＥＤ毎に設けられており、各個別ステージは、当該個別ステージのＬＥＤ搭載面に搭載されたＬＥＤを前記碗状部の軸心方向から見て、いずれのＬＥＤも他のＬＥＤと重ならない位置に設けられており、かつ、前記ＬＥＤ搭載面の角度が変更可能に構成されていることを特徴とする。
【００１０】
上記の構成からなる電球形ＬＥＤランプによれば、前記碗状部の内周面から内側に突設された個別ステージにＬＥＤが搭載されているため、あるＬＥＤが搭載された個別ステージと他のＬＥＤが搭載された個別ステージとの間には、碗状部の一部が存在するため、その分、両ＬＥＤを同一平面上に設けた上記従来の場合と比較して熱伝導経路が長くなり、相互に相手方のＬＥＤの熱の影響を受けにくくなる。また、碗状部の前記一部の外周面は外気に露出するので、当該部分で大半が放熱されると考えられるため、これによっても相手方のＬＥＤの熱の影響を受けにくくなる。したがって、点灯中における各ＬＥＤ間の温度のばらつきは、上記従来よりも低減できるため、各ＬＥＤ間における発光効率のばらつきを可能な限り抑制することができる。
【００１１】
また、個別ステージの各々は、碗状部の軸心方向から見てＬＥＤが重ならない限り、その内周面の任意の位置から突設できるため、発光効率の不均一を解消するためには一の円周上に一列にＬＥＤを設けざるを得ない上記従来のＬＥＤランプと比較して、ＬＥＤの個数を低減する必要がない。
さらに、個別ステージにおけるＬＥＤ搭載面の角度を変えることができるため、ランプ全体の配光特性を変更することが可能となる。
【００１２】
また、上記の目的を達成するため、本発明に係る照明装置は、照明器具と、当該照明器具に装着された上記の電球形ＬＥＤランプとを備えることを特徴とし、上述した電球形ＬＥＤランプと同様の効果を奏する。
【図面の簡単な説明】
【００１３】
【図１】実施の形態１に係る電球形ＬＥＤランプを正面から見た断面図である。
【図２】上記電球形ＬＥＤランプの平面図である。
【図３】上記電球形ＬＥＤランプの構成部材である第１部材および３個のＬＥＤモジュールの斜視図である。
【図４】実施の形態２に係る電球形ＬＥＤランプを正面から見た断面図である。
【図５】（ａ）は、実施の形態３に係る電球形ＬＥＤランプにおいて、ネック部および碗状部を有する放熱部材を構成する第１および第２部材の内、主として第１部材を示す斜視図であり、（ｂ）、（ｃ）は、主として、個別ステージを側方から見た図である。
【図６】実施の形態４に係る電球形ＬＥＤランプを正面から見た断面図である。
【図７】実施の形態５に係る電球形ＬＥＤランプを正面から見た断面図である。
【図８】実施の形態５に係る電球形ＬＥＤランプの平面図である。
【図９】実施の形態５に係る電球形ＬＥＤランプの構成部材である第１部材および３個のＬＥＤモジュールの斜視図である。
【発明を実施するための形態】
【００１４】
以下、本発明に係る電球形ＬＥＤランプの実施の形態について、図面を参照しながら説明する。ここで、電球形ＬＥＤランプとは、後述するような口金を有し、ハロゲン電球その他の白熱電球用のソケットにそのまま装着して使用できるものを言う。
＜実施の形態１＞
図１は実施の形態１に係る電球形ＬＥＤランプ１０（以下、単に「ＬＥＤランプ１０」と言う。）を正面から見た断面図であり、図２は同平面図である。なお、図２は、後述する前面ガラス１８を取り除いた状態で描いている。
【００１５】
反射鏡付きＬＥＤ電球１０は、口金１２、点灯回路ユニット１４、放熱部材１６、前面ガラス１８、ＬＥＤモジュール２０，２２，２４等で構成される。
口金１２は、電気絶縁材料からなる本体部２６を有する。本体部２６の一端部部分は略円筒形に形成されており、当該円筒部分にシェル２８が嵌めこまれている。また、円筒部分の一端部側は略円錐台形に形成されており、当該円錐台の頂部には、アイレット３０が固着されている。口金１２は、既存の白熱電球用の照明器具のソケットに装着とする規格（例えば、ＪＩＳ規格）に合致したものである。
【００１６】
本体部２６の前記円筒部分の他端部には、アイレット３０から遠ざかる程内部空間が広がる中空形状に形成されていて、当該中空部内に点灯回路ユニット１４が収納されている。
点灯回路ユニット１４は、回路基板３２と回路基板３２に実装された複数の電子部品３４とからなる。点灯回路ユニット１４とアイレット３０とは第１リード線３６で、点灯回路ユニット１４とシェル２８とは第２リード線３８でそれぞれ電気的に接続されている。点灯回路ユニット１４は、アイレット３０およびシェル２８並びに第１リード線３６および第２リード線３８を介して供給される商用交流電力を、ＬＥＤモジュール２０，２２，２４を点灯させるための電力に変換して、ＬＥＤモジュール２０，２２，２４に給電する。
【００１７】
放熱部材１６は、アルミニウム等の良熱伝導性材料からなり、ネック部４０とこれに連設された碗状部４２とを有する。図１、図２においてネック部４０および碗状部４２の中心軸Ｘを一点鎖線で示す。
ネック部４０は略円筒形をしていて、口金１２の本体部２６の開口部から挿入されて本体部２６に固定されている。この固定には、接着剤、その中でも、シリコン樹脂、熱伝導性の良い接着剤（例えば熱グリスなどを含む接着剤）（いずれも不図示）等を用いることができる。
【００１８】
放熱部材１６は、面対称形をした二つの部材（第１部材１６Ａ、第２部材１６Ｂ）が合わさったものである。
図３に、第１部材１６ＡおよびＬＥＤモジュール２０，２２，２４の斜視図を示す。なお、図３においても、第１部材１６Ａと第２部材１６Ｂとを組み合わせた際の（放熱部材１６の）中心軸Ｘを記載している。第１部材１６Ａの各部にはアルファベットの「Ａ」を付し、第１部材１６Ａと第２部材１６Ｂとが組み合わさってなる放熱部材１６において、対応する部分を示す場合は、アルファベット「Ａ」を省略し、番号のみで示すものとする。
【００１９】
第１部材１６Ａは、ネック部４０（図１）となる半円筒部４０Ａとこれに連設された、碗状部４２（図１）となる半碗状部４２Ａとを有する。
半碗状部４８Ａの内周面４４Ａから内側に（中心軸Ｘに向かって）突設されたステージ４６Ａ，４８Ａが中心軸Ｘ方向に複数段（本例では２段）設けられている。ここで、半碗状部４２Ａの底部５０Ａに近い方から、第１ステージ４６Ａ、第２ステージ４８Ａとする。
【００２０】
第１部材１６Ａの底部５０Ａ、第１ステージ４６Ａ、第２ステージ４８Ａには、それぞれ、ＬＥＤモジュール２０，２２，２４と点灯回路ユニット１４とを電気的に接続する後述の内部配線８０，８２，８４の挿通孔となる切欠き５２Ａ，５４Ａ，５６Ａが設けられている。
また、第１部材１６Ａは第２部材１６Ｂとの合わせ面５８Ａを有する。
【００２１】
第１部材１６Ａと第２部材１６Ｂをその合わせ面同士を合わせて組み合わせると、図２に示すように、内周面４４から内側に（中心軸Ｘに向って）円環状に突設された第１ステージ４６、第２ステージ４８が創出される。また、その外形は、口金１２と同規格サイズの口金を有する反射鏡付きハロゲン電球における反射鏡部分の外形と近似している。すなわち、反射鏡付きハロゲン電球における反射鏡部分は一般的に碗状をしている。よって、碗状部４２を反射鏡の有する碗状と同程度の大きさとすることにより、碗状部４２は反射鏡部分の外形と近似することとなる。
【００２２】
碗状部４２の底部５０にはＬＥＤモジュール２０が、第１ステージ４６にはＬＥＤモジュール２２が、第２ステージ４８にはＬＥＤモジュール２４がそれぞれ設置されている。
図３に示すように、ＬＥＤモジュール２０は円板状をしたプリント配線板６０とこれに実装されたＬＥＤ６６とを有する。また、ＬＥＤモジュール２２，２４は、それぞれ、円環状をしたプリント配線板６２，６４とこれに実装されたＬＥＤ６７,６８,６９,７０,７１,７２,７３，７４，７５，７６，７７，７８とを有する。プリント配線板６２，６４の各々には、円環中心軸周りに等角度間隔（本例では、６０度間隔）で、ＬＥＤ６７〜７８が実装されている。ＬＥＤ６６〜７８はいずれも同じものであり、表面実装（ＳＭＤ）型でレンズ付きの白色ＬＥＤである。
【００２３】
ＬＥＤモジュール２２のＬＥＤ６７〜７２は、プリント配線板６２の配線パターン（不図示）によって電気的に直列に接続されており、同じく、ＬＥＤモジュール２４のＬＥＤ７３〜７８は、プリント配線板６４の配線パターン（不図示）によって電気的に直列に接続されている。
また、底部５０、第１ステージ４６、第２ステージ４８の厚みを必要に応じ個々に変えることで、放熱性を個々に向上させることができる。つまり、点灯回路ユニット１４で発生した熱の影響をなくすために底部５０の厚みを厚くすることが可能である。また、第１ステージ４６のように、第２ステージ４８に比べ、ステージ単位面積に対しＬＥＤの個数が多いような場合は、熱が逃げにくいため、例えば第１ステージ４６の厚みを第２ステージ４８の厚みより厚くすることで放熱性の向上につながる。
【００２４】
図２に戻り、ＬＥＤモジュール２２とＬＥＤモジュール２４とは、中心軸Ｘを中心として、ＬＥＤ６７〜７２とＬＥＤ７３〜７８の配置角度が３０度ずれるように第１ステージ４６、第２ステージ４８の各々に設けられている。すなわち、中心軸Ｘから碗状部４２の径方向に見て、一方のステージに設けられたいずれのＬＥＤも隣接する他方のステージに設けられたいずれのＬＥＤと重ならない位置に各ＬＥＤ６７〜７８が配されている。このように配することで、被照射面における照度むらを可能な限り抑制することができる。
【００２５】
図１に戻り、プリント配線板６０と回路基板３２とは、挿入孔５２に挿通された内部配線８０を介して電気的に接続されている。また、プリント配線板６２と回路基板３２とは、挿通孔５２，５４に挿通された内部配線８２を介して電気的に接続されている。さらに、プリント配線板６４と回路基板３２とは、挿通孔５２，５４，５６に挿通された内部配線８４を介して電気的に接続されている。そして、内部配線８０，８２，８４同士は、回路基板３２の配線パターン（不図示）で、ＬＥＤ６６〜７８が電気的に直列接続されるように接続されている。
【００２６】
以上、説明したようにＬＥＤランプ１０は、ハロゲン電球用の既存の照明器具に装着可能な口金１２を有する。また、口金１２には、反射鏡付きハロゲン電球の当該反射鏡と同様な碗形状をした放熱部材１６が設けられており、口金１２と放熱部材１６とでＬＥＤランプ１０の外形が形成されている。このため、反射鏡付きハロゲン電球用の既存の照明器具に、スペース的にも問題なく装着可能である。
【００２７】
上記の構成からなるＬＥＤランプ１０を照明器具に装着し、口金１２を介して給電すると１３個のＬＥＤ６７〜７８が点灯し、その各々が発熱する。
平面視すると図２に示すように、例えば、ＬＥＤ６７に注目すると、ＬＥＤ６７はＬＥＤ７３，７４，６８，７２に囲まれているため、これら４個のＬＥＤ７３，７４，６８，７２の熱の影響を良く受けるようにも思われる。
【００２８】
しかしながら、ＬＥＤ６７とＬＥＤ７３，７４とは、異なるステージに設けられており実際には同一の平面上にはない。ＬＥＤ７３，７４からＬＥＤ６７に至る熱伝導経路は、第２ステージ４８〜碗状部４２の一部〜第１ステージ４６といったように、ＬＥＤ７３，７４とＬＥＤ６７とを同一の平面上（例えば、従来のように同一基板上）に配した場合と比較して相当に長くなる。加えて、碗状部４２の上記一部の外周面は、外気に露出しているため、当該部分で大半が放熱されると考えられるため、ＬＥＤ６７に対するＬＥＤ７３，７４の熱の影響は少ないと考えられる。
【００２９】
ＬＥＤ６８，７２は、ＬＥＤ６７と同一平面上（同一プリント配線板６２上）に存するが、ＬＥＤ６７を取り囲むものではない。
以上のとおり、ＬＥＤランプ１０によれば、１３個のＬＥＤ６６〜７８のいずれも、同一平面内で他のＬＥＤに囲まれていないため、従来のように一の基板にこれらのＬＥＤを配した場合と比較して、各ＬＥＤは他のＬＥＤの熱の影響を受けにくい。このため、各ＬＥＤ間における発光効率のばらつきを従来と比較して抑制することができると考えられる。
【００３０】
なお、ＬＥＤモジュール２０，２２，２４の各々を選択的に点灯させることとしても構わない。これは、点灯回路ユニット１４に公知の技術を用いた選択回路を組み込み、公知の技術で実現できるリモコンを用いることにより可能である。
これにより、全てのＬＥＤモジュール２０，２２，２４を点灯させる他、一のＬＥＤモジュールを点灯させることができる。この場合、ＬＥＤモジュール２０のみの場合は、いわゆる豆球程度の明るさとなるため、例えば、常夜灯として用いる場合等に好適である。
【００３１】
また、二つのＬＥＤモジュールのみを点灯させることができる（ＬＥＤモジュール２０，２２、ＬＥＤモジュール２０，２４、またはＬＥＤモジュール２２，２４といった組み合わせ）。これにより、ＬＥＤランプの明るさを段階的に変更することが可能となる。
＜実施の形態２＞
図４は実施の形態２に係る電球形ＬＥＤランプ１００（以下、単に「ＬＥＤランプ１００」と言う。）を正面から見た断面図であり、図１と同様に描いた図である。
【００３２】
実施の形態２に係るＬＥＤランプ１００は、放熱部材の形状が異なる以外は、実施の形態１に係るＬＥＤランプ１０（図１）と同様の構成である。よって、ＬＥＤランプ１０と同様の構成部分については同じ符号を付してその説明については省略し、以下、異なる部分を中心に説明する。
実施の形態２の放熱部材１０２では、その体積を増大させるため、第１ステージ１０４および第２ステージ１０６の下方には、実施の形態１の第１および第２ステージ４６，４８とは異なり、ほとんど空間を設けず、放熱部材１０２を構成する材料（本例では、アルミニウム）で充塞することとした。換言すれば、底部と第１ステージの間、および第１ステージと第２ステージの間の碗状部の厚みを増大させた。これにより、放熱部材１０２の熱容量が増大するため、一層放熱性が向上し、ＬＥＤ６６〜７８（一部不図示）の昇温の程度が抑制できる。
【００３３】
また、前記厚みの増大によって、底部と第１ステージの間の内周面がＬＥＤ６６に近づき、第１ステージと第２ステージの間の内周面がＬＥＤモジュール２２のＬＥＤ６７〜７２（一部不図示）に近づくため、両内周面が、対応するＬＥＤの反射面となり、効率よく各ＬＥＤからの光を前方へ放射することが可能となる。
＜実施の形態３＞
実施の形態１，２では、第１ステージ４６，１０４、第２ステージ４８，１０６は、中心軸Ｘを中心とする環状を成したもの（中心軸Ｘを中心とする円周方向に一体的に形成されたもの）としたが、実施の形態３に係る電球形ＬＥＤランプ（以下、単に「ＬＥＤランプ」と言う。）では、両ステージを円周方向に複数に分割したものとし、かつ、分割された各々の部分（個別ステージのＬＥＤ搭載面）の角度を変更可能に構成することとしている。
【００３４】
実施の形態３は、実施の形態１，２とは、口金１２、点灯回路ユニット１４、前面ガラス１８、およびＬＥＤ６７〜７８を共通にするため、これら構成要素の図示および説明については省略し、以下、異なる部分を中心に説明する。
図５（ａ）は、実施の形態３に係るＬＥＤランプにおいて、ネック部および碗状部を有する放熱部材を構成する第１および第２部材の内、第１部材２０２Ａを示す斜視図である。なお、不図示の第２部材は中心軸Ｘを対称軸として第１部材２０２Ａと対称形をなしており、実施の形態１の場合と同様、第１および第２部材の合わせ面２０４Ａ同士を合わせて組み合わせることにより放熱部材が構成される。また、以下、便宜上、第１部材２０２Ａと第２部材（不図示）とが組み合わさった状態を想定して放熱部材２０２について説明する。
【００３５】
放熱部材２０２は、実施の形態１の場合と同様、ネック部２０６とこれに連設された碗状部２０８とを有する。
碗状部２０８の内周面２１０から内側に（中心軸Ｘに向って）突設された第１ステージ２１２と第２ステージ２１４が中心軸Ｘの軸心方向に２段に設けられている。
第１ステージ２１２と第２ステージ２１４とは、それぞれ、中心軸Ｘを中心とする円周方向に並設された複数個の（本例では６個の（３個は図５に現れていない））個別ステージ２１６〜２１８、個別ステージ２１９〜２２１で構成される。個別ステージ２１６〜２２１はいずれも同様の構成なので、ここでは、第２ステージ２１４を構成する個別ステージ２１９を代表として説明する。
【００３６】
図５（ｂ）、図５（ｃ）に、図５（ａ）において矢印Ａの向きに見た個別ステージ２１９を示す。
個別ステージ２１９は、碗状部２０８の内周面２１０から中心軸Ｘに向って延出された固定部２２２とこれに連結された可動部２２４とを有する。なお、碗状部２０８から固定部２２が延出されてなる構造は、例えばロストワックス法により鋳造することができる。あるいは、固定部２２２の挿入孔を碗状部２０８の厚み方向に開設し、別途作製された固定部２２２の端部を当該挿入孔に挿入することとしても構わない。
【００３７】
固定部２２２と可動部２２４とは、それぞれに開設された貫通孔に圧入されたストレートピン２２６によって連結されている。ピン２２６は、碗状部２０８の径方向と直交しており、可動部２２４は、ピン２２６の軸心周り矢印Ｕ，矢印Ｄの向きに回動可能に軸支されている。
可動部２２４におけるＬＥＤ搭載面２３０には、方形をしたプリント基板２２８が固着され、プリント基板２２８にはＬＥＤ７８が実装されている。図５（ｂ）に示す、ＬＥＤ搭載面２３０ひいてはプリント基板２２８の主面が中心軸Ｘと直交する方向と平行になっている状態を「標準状態」と称することとする。標準状態では、ＬＥＤ７８の光は専ら中心軸Ｘと平行な方向に出射される。なお、全ての個別ステージ２１６〜２２１が標準状態となっている場合に、ＬＥＤランプを平面視した場合におけるＬＥＤの配列は、図２に示す実施の形態１の場合と同様である。
【００３８】
上記の構成からなる個別ステージ２１９によれば、標準状態から可動部２２４を例えば指先などで回動させることにより、ＬＥＤ７８の出射光の中心軸Ｘに対する角度を変更することができる。矢印Ｄの向きに回動させると中心軸Ｘに向って集光される状態が実現でき、矢印Ｕの向きに回動させるとワイドに照射面を照射するような配光が得られる。
なお、ＬＥＤ６７，６８，７２，７３，７４，７８は、図５（ａ）に現れていない他の６個も含め、ステージ毎に隣接するもの同士が内部配線２３２で次々と接続されて、直列に接続されている。ステージ毎に直列接続されたＬＥＤは、内部配線２３４，２３６を介して回路基板３２に接続されている。そして、ステージ毎に直列接続されたＬＥＤ同士は、回路基板の配線パターンによって、直列に接続されている。
＜実施の形態４＞
図６は実施の形態４に係る電球形ＬＥＤランプ３００（以下、単に「ＬＥＤランプ３００」と言う。）を正面から見た断面図であり、図１と同様に描いた図である。
【００３９】
ＬＥＤランプ３００は、実施の形態１のＬＥＤランプ１０（図１）に後述する光拡散部材３０２を追加した構成としている。光拡散部材３０２を有する以外、ＬＥＤランプ３００は、ＬＥＤ１０と同様の構成である。
よって、図６において、ＬＥＤランプ１０（図１）と同じ構成部分については、図１と同じ符号を付して、その説明については省略し、以下、光拡散部材３０２を中心に説明する。
【００４０】
光拡散部材３０２は、全体的に円錐台形をしていて、その頂部を、碗状をした放熱部材１６の底部に向けた姿勢で放熱部材１６内に収納されている。収納された状態で、前記円錐台形の中心軸が、中心軸Ｘに重なっている。光拡散部材３０２の頂部には、凹部３０２Ａが設けられており、凹部３０２Ａ内にＬＥＤ６６が収納されている。光拡散部材３０２は、その底面が前面ガラス１８と透光性を有する接着によって固着されており、前面ガラス１８の放熱部材１６への取り付けと同時に、放熱部材１６へ組み付けられる。
【００４１】
光拡散部材３０２は、アクリル樹脂等の透光性樹脂、ガラスその他の透光性材料からなる。
このように光拡散部材３０２を設けることにより、ＬＥＤ６７〜７８から出射された光は、その一部が光拡散部材３０２の側面３０２Ｂで反射し、あるいは他の一部が光拡散部材３０２内部へ入射し、内部へ入射した光が当該内部で反射を繰り返して、外部へと出射される。このため、ＬＥＤランプ１００全体として、ＬＥＤランプ１０よりも光の出射範囲（出射角）が拡がることとなる。
【００４２】
（変形例）
実施の形態４のＬＥＤランプ３００において、ＬＥＤモジュール２０を取り除くと共に、光反射部材３０２を、凹部３０２Ａを有しない完全な円錐台形状としても構わない。
また、実施の形態２，３のＬＥＤランプに光拡散部材３０２を組み込んでも構わない。
＜実施の形態５＞
図７は実施の形態５に係る電球形ＬＥＤランプ４００（以下、単に「ＬＥＤランプ４００」と言う。）を正面から見た断面図であり、図８は同平面図であって、それぞれ、図１、図２と同様に描いた図である。
【００４３】
実施の形態１のＬＥＤランプ１０では、中心軸Ｘ方向、口金１２に近い側から、１個のＬＥＤ６６で構成されたＬＥＤモジュール２０、６個のＬＥＤ６７〜７２が円環状に配された構成のＬＥＤモジュール２２、６個のＬＥＤ７３〜７８が前記円環状よりも大きな円環状に配された構成のＬＥＤモジュール２４がこの順に配されていたが、実施の形態５のＬＥＤランプ４００では、ＬＥＤモジュールの大小関係の配列順がこの逆になっている。
【００４４】
すなわち、ＬＥＤランプ４００では、中心軸Ｘ方向、口金に近い側から、６個のＬＥＤ７３〜７８が円環状に配された構成のＬＥＤモジュール４０２、６個のＬＥＤ６７〜７２が前記円環状よりも小さな円環状に配された構成のＬＥＤモジュール４０４、１個のＬＥＤ６６で構成されたＬＥＤモジュール４０６がこの順に配されている。
また、実施の形態１のＬＥＤランプ１０では、点灯回路ユニット１４は、回路基板３２が中心軸Ｘと直交する姿勢で設けられた、いわゆる横置きとしたが、実施の形態５のＬＥＤランプ４００では、点灯回路ユニット４０８は、回路基板４１０が中心軸Ｘと平行となる姿勢で設けられた、いわゆる縦置きとしている。
【００４５】
上記したＬＥＤモジュールの配列順、および点灯回路ユニットの設置方向が異なる以外は、ＬＥＤランプ４００は、ＬＥＤランプ１０と同様の構成である。よって、図７、図８において、ＬＥＤランプ１０と実質的に同じ構成部分については、同じ符号を付してその説明については省略し、以下、異なる部分を中心にさらに説明する。
点灯回路ユニット４０８は、回路基板４１０と回路基板４１０に実装された複数個の電子部品４１２とからなる。回路基板４１０のシェル２８に近い側の端部部分が、口金１２の本体部２６の内周面２６Ａに、中心軸Ｘと平行に設けられた一対の対向する溝（不図示）に挿入されて、本体部２６内に収納されている。回路基板４１０の他端部部分は、口金１２から突出し、放熱部材４１４の碗状部４１６にまで至っている。
【００４６】
放熱部材４１４は、実施の形態１と同様、面対称をした二つの部材（第１部材４１４Ａ、第２部材４１４Ｂ）が合わさったものである。
図９は、第１部材４１４Ａ、およびＬＥＤモジュール４０２，４０４，４０６の斜視図であり、図３と同様に描いたものである。なお、実施の形態５でも、実施の形態１と同様、第１部材４１４Ａの各部にはアルファベットの「Ａ」を付し、第１部材４１４Ａと第２部材４１４Ｂとが組み合わさってなる放熱部材４１４において、対応する部分を示す場合は、アルファベット「Ａ」を省略し、番号のみで示すものとする。
【００４７】
第１部材４１４Ａは、ネック部４１８（図７）となる半円筒部４１８Ａとこれに連設された、碗状部４１６（図７）となる半碗状部４１６Ａとを有する。なお、碗状部４１６は、実施の形態１とは異なり底部を有しない（図７）。
半碗状部４１６Ａの内周面４２０Ａから内側に（中心軸Ｘに向かって）突設されたステージ４２２Ａ，４２４Ａが中心軸Ｘ方向に２段設けられている。ステージ４２２Ａは、ＬＥＤモジュール４０６のための後述する取付部材４３０の脚部４３４を固定するために設けられたものであり、以下、脚部固定ステージ４２２Ａと称する。ステージ４２４Ａは、ＬＥＤモジュール４０２設置用のステージであり、以下、第１ステージ４２４Ａと称する。なお、ＬＥＤモジュール４０４を設置するための第２ステージ４２６については後述する。
【００４８】
第１部材４１４Ａは第２部材４１４Ｂとの合わせ面４２８Ａを有する。
第１部材４１４Ａと第２部材４１４Ｂをその合わせ面同士を合わせて組み合わせると、内周面４２０（図８）から内側に（中心軸Ｘに向って）円環状に突設された脚部固定ステージ４２２、第１ステージ４２４が創出される。また、その外形が、反射鏡付きハロゲン電球における反射鏡部分の外形と近似するのは、実施の形態１と同様である。
【００４９】
脚部固定ステージ４２２には、取付部材４３０を介してＬＥＤモジュール４０６が固定される。ＬＥＤモジュール４０６は、実施の形態１のＬＥＤモジュール２０（図３）と同様の構成である。取付部材４３０は、円板状をした台座４３２と台座４３２の外周から三方に延出された３本の脚部４３４とを有する。取付部材４３０は、熱伝導性に優れた金属、例えば、アルミニウムからなる。ＬＥＤモジュール４０６は、台座４３２に熱伝導性に優れた接着剤によって固着されている。３本の脚部４３４各々の先端部分は「く」字状に屈曲され、当該屈曲部が半田（不図示）などによって、脚部固定ステージ４２２に接合されている。
【００５０】
第１ステージ４２４には、３個のＬＥＤモジュール４０２，４０４，４０６の内で最も大きいＬＥＤモジュール４０２が設置されている。ＬＥＤモジュール４０２は、プリント配線板４３６が若干小さい以外は、ＬＥモジュール２４（図３）と同様の構成である。
ＬＥＤモジュール４０４は、プリント配線板４３８が若干小さい以外は、ＬＥＤモジュール２２（図３）と同様の構成である。ＬＥＤモジュール４０４は、固定部材４４０を介して、碗状部４１６に取り付けられる。
【００５１】
固定部材４４０は、円環状部４４２と円環状部４４２の外周から等角度間隔で放射状に延出された６本の腕部４４６とからなる。腕部４４６の先端面は、碗状部４１６の内周面４２０の傾斜（曲面）に合わせてカットされている。
固定部材４４０は、円環状部４４２の中心軸を中心軸Ｘと一致させた状態で、碗状部４１６に嵌め込まれる。このとき、図８に示すように、平面視で腕部４４６のいずれもが、ＬＥＤモジュール４０２を構成するＬＥＤ７３〜７８と重ならないように嵌め込まれる。ここで、隣接するＬＥＤ間の真ん中に腕部４４６の各々が位置するように嵌め込まれるのが好ましい。
【００５２】
嵌め込まれた状態で、腕部４４６各々の先端面は、碗状部４１６の内周面と略全面で接触している。この状態で、腕部４４６各々の先端部部分が不図示の半田などで碗状部４１６に接合され、碗状部４１６と一体となる。これにより、固定部材４４０は、放熱部材４１４の一部となり、碗状部４１６の内周面４２０から内側に（中心軸Ｘに向って）突設された第２ステージ４２６を構成する。
【００５３】
ＬＥＤモジュール４０４は、第２ステージ４２６の円環状部４４２に設置されている。
なお、ＬＥＤモジュール４０２，４０４，４０６の各々と点灯回路ユニット４０８とは、放熱部材４１４の中空部を挿通された不図示の配線によって電気的に接続されている。
以上の構成からなるＬＥＤランプ４００によれば、１３個のＬＥＤ６６〜７８のいずれも、同一平面内で他のＬＥＤに囲まれていないため、従来のように一の基板にこれらのＬＥＤを配した場合と比較して、各ＬＥＤは他のＬＥＤの熱の影響を受けにくく、その結果、各ＬＥＤ間における発光効率のばらつきを従来と比較して抑制することができると考えられるのは、実施の形態１の場合と同様である。
【００５４】
以上、電球形ＬＥＤランプの実施の形態について説明してきたが、照明器具と当該照明器具に装着された上記いずれかの実施の形態に係る電球形ＬＥＤランプとで照明装置を構成することも可能である。この場合、上述した通り、当該電球形ＬＥＤランプは、口金に取り付けられた放熱部材の外形を、反射鏡付きハロゲン電球の反射鏡の形状（外形）と同様の形状（外形）、すなわち碗状としているため、反射鏡付きハロゲン電球用の照明器具（例えば、ダウンライトタイプの照明器具）と好適に組み合わせて照明装置とすることができる。
【００５５】
また、電球形ＬＥＤランプの実施の形態は上記の形態に限らないことは勿論であり、例えば、以下のような形態とすることもできる。
（１）実施の形態１，２，４，５では、中心軸Ｘの方向上下２段にステージを設けたが、ステージの数は２段（２個）に限らず３段（３個）以上でも構わない。反射鏡付きハロゲン電球の代替光源とすることを主な目的とするため、代替されるハロゲン電球のサイズによって反射鏡の大きさが異なる。よって、当該反射鏡の大きさに合わせて形成される放熱部材の大きさも異なってくるため、放熱部材の大きさに依って設けるステージの個数（段数）も変更されるからである。
（２）実施の形態１，２では、放熱部材の碗状部底部にもＬＥＤ６６を設けることとしたが、当該底部のＬＥＤは必ずしも必要ない。当該ＬＥＤを設けないこととした場合には、碗状部の底部をその分、点灯回路ユニット１４の存する側とは反対側に底上げすることにより、点灯回路ユニット１４の収納スペースを広げることが可能となる。
（３）実施の形態３では、標準状態において、個別ステージ２１６，２１７，２１８のＬＥＤ搭載面が同一平面上にあり、個別ステージ２１９，２２０，２２１のＬＥＤ搭載面が同一平面上にあるように、個別ステージ各々を配置したが、これに限らず、例えば、以下のように各個別ステージを配置しても構わない。
【００５６】
すなわち、個別ステージのＬＥＤ搭載面が、中心軸Ｘを旋回軸とする仮想螺旋線上に並ぶように、各個別ステージを配しても構わない。この場合の螺旋は、碗状部の開口部に近くなるほど中心軸Ｘからの距離が長くなる、いわゆる末広がりの螺旋状とすることが好ましい。また、当然のことながら、中心軸Ｘ方向から見て、いずれのＬＥＤも他のＬＥＤと重ならないようにすることが好ましい。
【００５７】
また、上記に関わらず、その他、配置は任意である。要は、中心軸Ｘ方向から見て、ＬＥＤ同士が重ならないような配置であれば構わない。
（４）実施の形態３では、一の個別ステージには、ＬＥＤを１個搭載することとしたが、搭載するＬＥＤの個数は１個に限らない。すなわち、使用する複数個のＬＥＤを２個のＬＥＤ毎に、あるいは３個のＬＥＤ毎に（すなわち、所定個数のＬＥＤ毎に）各個別ステージ設けても構わない。
【００５８】
また、個別ステージ間で搭載するＬＥＤの個数が異なっていても構わない。
（５）また、ステージに関し、実施の形態１，２，４または５の構成と実施の形態３とを混合させた形態とすることもできる。例えば、第１ステージは、実施の形態１または２の第１ステージの構成とし、第２ステージを実施の形態３の個別ステージ群で構成することができ、またその逆も可能である。
【００５９】
要は、複数段に設けるステージの内、少なくとも一のステージを実施の形態３のような個別ステージ群とすることができるのである。
【産業上の利用可能性】
【００６０】
本発明に係る電球形ＬＥＤランプは、例えば、反射鏡付きハロゲン電球の代替光源として好適に利用可能である。
【符号の説明】
【００６１】
１０，１００，３００，４００    電球形ＬＥＤランプ
１２    口金
１４，４０８    点灯回路ユニット
１６，１０２，２０２，４１４    放熱部材
４２，２０８    碗状部
４６，１０４，２１２，４２４    第１ステージ
４８，１０６，２１４，４２６    第２ステージ
６６〜７８    ＬＥＤ
２１６〜２２１    個別ステージ
２３０    搭載面
【手続補正２】
【補正対象書類名】特許請求の範囲
【補正対象項目名】全文
【補正方法】変更
【補正の内容】
【特許請求の範囲】
【請求項１】
複数個のＬＥＤと、口金と、当該口金を介して供給される商用電力を前記複数のＬＥＤを発光させるための電力に変換する点灯回路とを有する電球形ＬＥＤランプであって、
碗状部を有する放熱部材を備え、
前記碗状部の内周面から内側に突設されたステージが、当該碗状部の軸心方向に少なくとも２段に設けられており、
各ステージの、前記軸心を中心とする円周方向に前記複数個のＬＥＤが列設されていて、
少なくとも一のステージは、前記円周方向に複数に分割されており、分割された各々の部分のＬＥＤ搭載面の角度が変更可能に構成されていることを特徴とする電球形ＬＥＤランプ。
【請求項２】
前記軸心から前記碗状部の径方向に見て、一のステージに設けられたいずれのＬＥＤも、隣接するステージに設けられたいずれのＬＥＤと重ならない位置に各ＬＥＤが配されていることを特徴とする請求項１に記載の電球形ＬＥＤランプ。
【請求項３】
複数個のＬＥＤと、口金と、当該口金を介して供給される商用電力を前記複数のＬＥＤを発光させるための電力に変換する点灯回路とを有する電球形ＬＥＤランプであって、
碗状部を有する放熱部材を備え、
前記碗状部の内周面から内側に突設された個別ステージが前記ＬＥＤ毎に設けられており、
各個別ステージは、当該個別ステージのＬＥＤ搭載面に搭載されたＬＥＤを前記碗状部の軸心方向から見て、いずれのＬＥＤも他のＬＥＤと重ならない位置に設けられており、かつ、前記ＬＥＤ搭載面の角度が変更可能に構成されていることを特徴とする電球形ＬＥＤランプ。
【請求項４】
前記放熱部材の前記碗状部の外形は、前記口金と同サイズの口金を有する反射鏡付きハロゲン電球における反射鏡部分の外形と近似していることを特徴とする請求項１〜３のいずれか１項に記載の電球形ＬＥＤランプ。
【請求項５】
照明器具と、
当該照明器具に装着された請求項１〜４のいずれか１項に記載の電球形ＬＥＤランプと、
を備えることを特徴とする照明装置。  
【手続補正３】
【補正対象書類名】図面
【補正対象項目名】全図
【補正方法】変更
【補正の内容】
【図１】
2011108272.tif 000012
【図２】
2011108272.tif 000013
【図３】
2011108272.tif 000014
【図４】
2011108272.tif 000015
【図５】
2011108272.tif 000016
【図６】
2011108272.tif 000017
【図７】
2011108272.tif 000018
【図８】
2011108272.tif 000019
【図９】
2011108272.tif 000020
【国際調査報告】
2011108272.tif 000021
2011108272.tif 000022
2011108272.tif 000023
2011108272.tif 000024